(57)【要約】      （修正有）【課題】既に収納されている光ファイバーを容易に取り出すことができる光端末装置を提供する。【解決手段】光ファイバーの余長部を巻回することにより収納することができる複数のガイド部４１ａ〜４１ｄを備え、ガイド部４１ａ，４１ｂの上縁から延伸して放射状に形成されている４本の弾性押さえ爪４９とを有し、通常状態では、弾性押さえ爪４９の先端が、複数のガイド部の間に形成された溝内に突出しており、弾性押さえ爪４９を撓めた際に、溝内に突出しないようになっている。これにより、弾性押さえ爪４９を撓めた際に、弾性押さえ爪４９に邪魔されることなく、ガイド部間の溝内から光ファイバーを容易に取り出すことができるようになる【選択図】図１２
2017211528.tif 000002
【特許請求の範囲】
【請求項１】
光ファイバーにより伝達された光信号を電気信号に変換して出力する光端末装置であって、
内部に導入された前記光ファイバーの余長部を収納する余長収納トレイを少なくとも備え、
前記余長収納トレイは、
前記余長収納トレイの底面部から立設されて形成される、前記光ファイバーの余長部を巻回することにより収納することができる複数のガイド部と、
該複数のガイド部の内の所定のガイド部の上縁から延伸して放射状に形成されている複数本の弾性押さえ爪とを有し、
通常状態では、前記弾性押さえ爪の先端が、前記複数のガイド部の間に形成された溝内に突出しており、前記弾性押さえ爪を撓めた際に、前記溝内に突出しないようになることを特徴とする光端末装置。
【請求項２】
前記前記弾性押さえ爪は、ガイド部の上縁から延伸する基部と、該基部から延伸する細長い長尺部と、通常状態において、前記溝内に突出する爪片とからなり、前記長尺部と前記爪片とは「くの字」状に形成されていることを特徴とする請求項１記載の光端末装置。
【請求項３】
前記弾性押さえ爪において、前記長尺部の厚さが前記基部の厚さより薄く形成されて、前記長尺部が撓みやすくされていることを特徴とする請求項２に記載の光端末装置。
【発明の詳細な説明】
【技術分野】
【０００１】
本発明は、光ファイバーから入力された光信号を電気信号に変換して出力する機能を有し、筐体内に導入された光ファイバーの余長を収納する余長収納部を備える光端末装置に関するものである。
【背景技術】
【０００２】
近年、高速広帯域通信サービスの普及に伴い、家庭と送信局との間を光ケーブルで接続する通信サービス、例えば、家庭向けの電話、インターネット、テレビなどのサービスを統合して提供するデータ通信サービスであるＦＴＴＨ（Fiber To The Home）や、光ケーブルテレビジョン（ＣＡＴＶ）が実施されている。この通信サービスの実現には、光ファイバーを伝送されてきた光信号を光−電気信号変換して復調し、復調された電気信号をセットトップボックスや伝送線路に供給するための光端末装置が必要となる。一般的な光端末装置の筐体内には、導入される光ファイバーの余長を収納する余長収納部と、導入された光ファイバーからの光信号を電気信号に変換して出力する光受信部が内蔵されている。
【０００３】
特許文献１記載の従来の光端末装置の構成を示す斜視図を図１７に示し、光端末装置に収納されている余長収納トレイの構成を示す斜視図を図１８に、余長収納トレイの構成を示す上面図を図１９に示す。
図１７に示すように、従来の光端末装置１００は、本体部１０２と、本体部１０２に開閉自在に枢支される蓋部１０３とからなる筐体を備えている。図１７は、蓋部１０３を開けた状態の構成を示す斜視図である。本体部１０２の前面板１０２ａの下半分に３つの同軸端子１５１が設けられ、前面板１０２ａの上半分の左右両側に、光ファイバー導入孔１０２ｆが形成され、光ファイバー導入孔１０２ｆの間に一対の係合突部１０２ｃが形成されている。また、前面板１０２ａの一側から電源ケーブル１６１が導出されている。
蓋部１０３は上面板１０３ａと、上面板１０３ａの両側から起立して形成された第１側面板１０３ｂと第２側面板１０３ｃとにより構成されている。上面板１０３ａの前側からは前方へ延伸する延伸部１０３ｄが形成されており、延伸部１０３ｄの先端には係合片１０３ｅが形成され、蓋部１０３を閉じた時に、係合片１０３ｅが本体部１０２の係合突部１０２ｃに係合する。また、第１側面板１０３ｂと、第１側面板１０３ｂに対面する第２側面板の下縁の後部から延伸するほぼ矩形状の保持片１０３ｆが形成されており、保持片１０３ｆに形成された孔が、本体部１０２の第１側面板１０２ｂを含む両側の板に形成された円筒状の突起に嵌挿されて、蓋部１０３は本体部１０２に対して開閉自在になっている。
【０００４】
本体部１０２と蓋部１０３とからなる筐体には、余長収納トレイ１０４と電子回路ユニットおよび電源ユニットとが内蔵されている。
図１８および図１９に示す余長収納トレイ１０４は、上面が開口された矩形の箱状の形状とされている。余長収納トレイ１０４は、矩形状の底面部１０４ａの４辺の縁部のそれぞれからほぼ直角に起立する第１側壁１０４ｂ、第２側壁１０４ｃ、第３側壁１０４ｄ、第４側壁１０４ｅの４枚の壁部を備え、これにより、上面が開口された箱状とされている。光ファイバーの長さは余裕を持って敷線されていることから、光端末装置１００に導入される光ファイバーには余長部が生じることが一般的とされる。余長収納トレイ１０４は、光端末装置１００に導入された光ファイバーの余長部を収納するために設けられており、余長収納トレイ１０４の内部には光ファイバーを巻回して収納するための複数のガイド部が底面部１０４ａから壁状に立設されて形成されている。
【０００５】
第２側壁１０４ｃに形成された導入溝１４５ｃから余長収納トレイ１０４内に導入された光ファイバーは、導入溝１４５ｃが形成されている挟着部１４５で挟持されて保持される。挟着部１４５は、先端が複数列の突起が相対向して形成されている挟着溝１４５ｅと、この挟着溝１４５ｅに被せられる挟着片１４５ａを有し、挟着片１４５ａはヒンジ部１４５ｄにより挟着溝１４５ｅ上に開閉自在にされ、挟着片１４５ａの外側には係止片１４５ｂが形成されている。係止片１４５ｂはＶ字状に形成されて弾性を有しており、挟着片１４５ａをヒンジ部１４５ｄで曲げて挟着溝１４５ｅ上に被せた際に、挟着溝１４５ｅに挿着された光ファイバーが挟着部１４５から抜け出ないように挟持される。この際に、係止孔１４５ｆに係止片１４５ｂが弾性的に係止されて、挟着片１４５ａは閉じた状態を維持するようになる。
【０００６】
余長収納トレイ１０４内に導入された光ファイバーの先端には光コネクタが設けられており、この光コネクタは電子回路ユニットにおける光コネクタに装着される。この際の光ファイバーの余長部は底面部１０４ａから壁状に立設されて形成されているガイド部に巻回されて収納される。このガイド部では、第１ガイド部１４１ａが底面部１０４ａの奥に形成され、第１ガイド部１４１ａの前側に隣接して第２ガイド部１４１ｂが形成され、第２ガイド部１４１ｂの前側に隣接して第３ガイド部１４１ｃが形成されており、第３ガイド部１４１ｃの前側に隣接して第４ガイド部１４１ｄが形成されている。
【０００７】
第１ガイド部１４１ａ〜第４ガイド部１４１ｄの外側に円弧状、あるいは円弧と直線からなる外側ガイド部１４６ａ〜１４６ｄが形成されている。第１ガイド部１４１ａ〜第４ガイド部１４１ｄおよび外側ガイド部１４６ａ〜１４６ｄのガイド間には、曲線状や直線状のほぼ一定幅とされた溝が形成され、この溝内に光ファイバーの余長部が巻回されたりして収納される。それぞれのガイド部の上縁および中間位置には、複数の押さえ爪が所定間隔毎に形成されている。上記ガイド部に形成される押さえ爪は、上記ガイド部の上縁に形成された上段押さえ爪１４２ａと、上記ガイド部のほぼ中間位置の高さに形成されたハッチングを施して示した下段押さえ爪４２ｂとが形成されている。これは、光端末装置１００に導入された光ファイバーの余長部が溝内に巻回されて収納された際に、光ファイバーは弾性を有していることから、巻き径が拡がる方向に付勢されて、第１ガイド部１４１ａ〜第４ガイド部１４１ｄおよび外側ガイド部１４６ａ〜１４６ｄを乗り越えて光ファイバーが乱雑になるおそれがあるからであり、上段押さえ爪１４２ａと下段押さえ爪１４２ｂとにより、光ファイバーが乗り越えることが防止される。
【０００８】
ところで、光端末装置１００の筐体内において光ファイバー同士の接続を行う場合がある。この光ファイバー同士の接続は、光ファイバーの端面同士を融着して行われ、融着部を保護するスリーブが融着部に装着される。また、光ファイバーの端面を位置合わせして固定するメカニカルスプライスにより光ファイバーを接続することも行われている。このようなスリーブやメカニカルスプライスは、光ファイバーの余長部と共に余長収納トレイ１０４の筐体内に収納される。すると、スリーブやメカニカルスプライスは、光ファイバーより径が太く光ファイバーに比較して重いと共に曲げることができないため、筐体内で動かないように保持しておかないと動いた際に光ファイバーが屈曲されて傷むおそれが生じる。そこで、従来の光端末装置１００においては、余長収納トレイ１０４のほぼ中央の両側にスリーブやメカニカルスプライスを保持するスリーブ保持部１４３，１４４を設けている。スリーブやメカニカルスプライスを保持するスリーブ保持部１４３，１４４は、保持片を有し、外側ガイド部１４６ｅあるいは第３側壁１０４ｄと保持片の間にスリーブやメカニカルスプライスを弾性的に保持するようにしている。
【先行技術文献】
【特許文献】
【０００９】
【特許文献１】特開２０１５−１２１７１７号公報
【発明の概要】
【発明が解決しようとする課題】
【００１０】
従来の光端末装置１００においては、光ファイバーの余長部を余長収納トレイに収納することができる。光ファイバーの余長部は、余長収納トレイのガイド間に形成された溝内に収納されるが、既に収納されている光ファイバーの余長部を何らかの理由で取り出したい場合がある。しかしながら、従来の光端末装置においては、光ファイバーの余長部を取り出すことを考慮された構造とされていないため、容易に取り出すことができなかったという問題点があった。
【００１１】
そこで、本発明は、既に収納されている光ファイバーを容易に取り出すことができる余長収納トレイを備える光端末装置を提供することを目的としている。
【課題を解決するための手段】
【００１２】
本発明の光端末装置は、光ファイバーにより伝達された光信号を電気信号に変換して出力する光端末装置であって、内部に導入された前記光ファイバーの余長部を収納する余長収納トレイを少なくとも備え、前記余長収納トレイは、前記余長収納トレイの底面部から立設されて形成される、前記光ファイバーの余長部を巻回することにより収納することができる複数のガイド部と、該複数のガイド部の内の所定のガイド部の上縁から延伸して放射状に形成されている複数本の弾性押さえ爪とを有し、通常状態では、前記弾性押さえ爪の先端が、前記複数のガイド部の間に形成された溝内に突出しており、前記弾性押さえ爪を撓めた際に、前記溝内に突出しないようになることを特徴としている。
【発明の効果】
【００１３】
本発明の光端末装置は、光ファイバーの余長部を巻回することにより収納することができる複数のガイド部を備え、複数のガイド部の内の所定のガイド部の上縁から延伸して放射状に形成されている複数本の弾性押さえ爪とを有し、通常状態では、弾性押さえ爪の先端が、複数のガイド部の間に形成された溝内に突出しており、弾性押さえ爪を撓めた際に、溝内に突出しないようになっている。これにより、弾性押さえ爪を撓めた際に、弾性押さえ爪に邪魔されることなく、ガイド部間の溝内から光ファイバーを容易に取り出すことができるようになる。
【図面の簡単な説明】
【００１４】
【図１】本発明の実施例にかかる光端末装置の構成を示す斜視図である。
【図２】本発明の実施例にかかる光端末装置において蓋部を開けた時の構成を示す斜視図である。
【図３】本発明の実施例にかかる光端末装置において蓋部を開けた時の構成を示す上面図である。
【図４】本発明にかかる光端末装置の余長収納トレイにおいてスリーブ保持部を開けた時の構成を示す斜視図である。
【図５】本発明にかかる光端末装置の余長収納トレイにおいてスリーブ保持部を開けた時の構成を示す上面図である。
【図６】本発明にかかる光端末装置の余長収納トレイにおいてスリーブ保持部を開けた時の構成を示す他の斜視図、スリーブ保持部の周辺の構成を示す斜視図である。
【図７】本発明にかかる光端末装置の余長収納トレイの構成を示す斜視図である。
【図８】本発明にかかる光端末装置の余長収納トレイの構成を示す上面図である。
【図９】本発明にかかる光端末装置の余長収納トレイの構成を示すＡ−Ａ断面図である。
【図１０】本発明にかかる光端末装置の余長収納トレイの構成を示す他の斜視図である。
【図１１】本発明にかかる光端末装置の余長収納トレイにおいて弾性押さえ爪を撓ませた状態の構成を示す上面図である。
【図１２】本発明にかかる光端末装置の余長収納トレイにおいて弾性押さえ爪を撓ませた状態の構成を示すＢ−Ｂ断面図である。
【図１３】本発明の実施例にかかる光端末装置において蓋部を開け、余長収納トレイにおいてスリーブ保持部を開けた時の構成を示す斜視図である。
【図１４】本発明の実施例にかかる光端末装置において蓋部を開け、余長収納トレイにおいてスリーブ保持部を開けた時の構成を示す上面図である。
【図１５】本発明の実施例にかかる光端末装置において蓋部を開け、余長収納トレイにおいて弾性押さえ爪を撓ませた状態の構成を示す斜視図である。
【図１６】本発明の実施例にかかる光端末装置において蓋部を開け、余長収納トレイにおいて弾性押さえ爪を撓ませた状態の構成を示す上面図である。
【図１７】従来の光端末装置において、蓋部を開けた時の構成を示す斜視図である。
【図１８】従来の光端末装置の余長収納トレイの構成を示す斜視図である。
【図１９】従来の光端末装置の余長収納トレイの構成を示す上面図である。
【発明を実施するための形態】
【００１５】
本発明の実施例にかかる光端末装置の構成を図１ないし図３に示す。図１は本発明にかかる光端末装置１の構成を示す斜視図であり、図２は蓋部３を開いた時の本発明にかかる光端末装置１の構成を示す斜視図であり、図３は蓋部３を開いた時の本発明にかかる光端末装置１の構成を示す上面図である。
これらの図に示すように、光端末装置１は、本体部２と、本体部２に開閉自在に枢支される蓋部３とからなる筐体を備えている。本体部２は樹脂成形により作成されて、上面が開口された矩形の箱状の形状とされている。本体部２は、底面の４辺の縁部のそれぞれからほぼ直角に起立する２枚の側面板と前面板と後面板とを備え、これにより、箱状とされている。図１〜図３においては、４枚の板の内の前面板２ａと第１側面板２ｂと第２側面板２ｄが図示されている。前面板２ａの高さは、第１側面板２ｂと第２側面板２ｄを含む他の３枚の板の高さより高く形成されている。前面板２ａの下半分に３つの突出する円筒状部２ｅが形成されており、この円筒状部２ｅに同軸端子５１が挿通されて突出している。前面板２ａの上半分の両側には、細い幅の縦の溝とされる光ファイバー導入孔２ｆが左側に２本、右側に１本形成されており、左右の光ファイバー導入孔２ｆの間に一対の係合突部２ｃが形成されている。係合突部２ｃは、断面が横長の平面状の突起とされており、先端部に下向きの斜面が形成されている。また、前面板２ａの左側から電源ケーブル６１が導出されており、電源ケーブル６１を導出しているケーブル挿入口が前面板２ａの左側に設けられている。そして、このケーブル挿入口を使用しない場合は、ケーブル挿入口をスライド片をスライドして塞ぐことにより防水構造としている。さらに、前面板２ａの下端の左右両側から取付片２ｇが突出するよう形成されており、取付片２ｇに形成されている挿通孔にネジを挿通して建物の壁等に螺着することにより、建物の壁等に光端末装置１を設置することができるようにされている。
【００１６】
蓋部３は樹脂成形により作成されて、矩形状の上面板３ａと、上面板３ａの両側から起立して形成された第１側面板３ｂと第２側面板３ｃとにより構成されている。上面板３ａの前側からは前方へ延伸する延伸部３ｄが形成されており、延伸部３ｄの先端には１対の係合片３ｅがほぼ直角に形成されている。係合片３ｅの先端の内側にはクサビ状の突起が形成されている。また、第１側面板３ｂと第２側面板３ｃの下縁の後部から下方へ延伸するほぼ矩形状の保持片３ｆが形成されており、保持片３ｆには円形の穴が形成されている。そして、本体部２の第１側面板２ｂと第２側面板２ｄには、蓋部３における保持片３ｆに形成された円形の穴に対応する位置に断面円形の突起とされる枢軸が形成されており、この枢軸に保持片３ｆに形成された円形の穴が嵌挿されることにより、蓋部３は本体部２に対して開閉自在に回転できるようになる。本体部２に蓋部３を閉めた際には、１対の係合片３ｅが１対の係合突部２ｃにそれぞれ係合するようになる。また、蓋部３を本体部２に閉めた状態において、延伸部３ｄに指をかけて上方へ向かう力を印加すると、係合突部２ｃから係合片３ｅの係合が外れて蓋部３が開くようになり、図２に示す状態とすることができる。
【００１７】
本体部２と蓋部３とからなる筐体には、余長収納トレイ４と電子回路ユニットおよび電源ユニットとが内蔵されている。複数の同軸端子５１は電子回路ユニットの前面に設けられており、電源ユニットから電源ケーブル６１が導出されている。なお、電子回路ユニットは光コネクタを有しており、光端末装置１内に導入された光ファイバー７１の先端に設けられた光コネクタが装着され、これにより、光信号が電子回路ユニットに供給されるようになる。電子回路ユニットでは、入力された光信号を電気信号に変換して同軸端子５１から出力する。電源ユニットは、この電子回路ユニットに動作用の電源を供給している。
【００１８】
本体部２に収納された電子回路ユニットと電源ユニットの上に重ねるように余長収納トレイ４が収納されている。余長収納トレイ４の構成を図４ないし図６（ａ）（ｂ）に示す。図４は余長収納トレイ４においてスリーブ保持部を開けた時の構成を示す前面左上側を視点とする斜視図であり、図５は余長収納トレイ４においてスリーブ保持部を開けた時の構成を示す上面図であり、図６（ａ）は余長収納トレイ４においてスリーブ保持部を開けた時の構成を示す後面右上側を視点とする他の斜視図であり、図６（ｂ）はスリーブ保持部４３の周辺の構成だけを拡大して示す斜視図である。
余長収納トレイ４は柔軟性を有する、例えばポリプロピレンなどの樹脂を成形することにより作成されて、これらの図に示すように、上面が開口された矩形の箱状の形状とされている。余長収納トレイ４は、矩形状の底板部４ａの４辺の縁部のそれぞれからほぼ直角に起立する第１側壁４ｂ、第２側壁４ｃ、第３側壁４ｄ、第４側壁４ｅの４枚の壁部を備え、これにより、上面が開口された箱状とされている。余長収納トレイ４は、本発明にかかる光端末装置１に導入された光ファイバー７１の余長部を収納するために設けられており、余長収納トレイ４の内部には光ファイバー７１を巻回して収納するための複数のガイド部が底板部４ａから壁状に立設されて形成されている。
【００１９】
余長収納トレイ４の前面となる第２側壁４ｃの両側には光ファイバー７１が導入される細い幅の縦の溝とされた導入孔４５ａが左側に２本、右側に１本形成されている。この導入孔４５ａは、光端末装置１の前面板２ａに形成されている光ファイバー導入孔２ｆに重なっており、光ファイバー導入孔２ｆから光端末装置１に導入された光ファイバー７１は、導入孔４５ａを介して余長収納トレイ４内に導入されるようになる。導入された光ファイバー７１は、導入孔４５ａの後に形成されている挟着部４５で挟持されて保持されるようになる。挟着部４５の構成は、図１７ないし図１９に示す従来の光端末装置１００における挟着部１４５と同様の構成とされることから、その説明は省略する。
【００２０】
余長収納トレイ４内に導入された光ファイバー７１の先端には図示しない光コネクタが設けられており、この光コネクタは電子回路ユニットにおける光コネクタに装着される。この際の光ファイバー７１の余長部は底板部４ａから壁状に立設されて形成されているガイド部に巻回されて収納される。このガイド部においては、一面が凸状で他面が凹状とされた三日月状の断面形状とされた第１ガイド部４１ａが底板部４ａの後側に形成されており、第１ガイド部４１ａの前側に隣接して両面が凸状とされた断面楕円形状の第２ガイド部４１ｂが形成されている。また、第２ガイド部４１ｂの前側に隣接して第２ガイド部４１ｂと同様の断面楕円形状とされた第３ガイド部４１ｃが形成されており、第３ガイド部４１ｃの前側に隣接して第１ガイド部４１ａと同様の形状で上下反転された三日月状の断面形状とされた第４ガイド部４１ｄが形成されている。さらに、第２ガイド部４１ｂと第３ガイド部４１ｃとが対面する両側の間に、断面三角形状の第５ガイド部４７と第６ガイド部４８とが形成されている。
【００２１】
第１ガイド部４１ａ〜第４ガイド部４１ｄは、底板部４ａの奥から中心軸が重なるように並んで形成されており、第１ガイド部４１ａの凹状の部分に第２ガイド部４１ｂの凸状の部分が対面して、この凸状と凹状の曲率がほぼ等しくされていることから、両者の間に円弧状の所定幅の溝が形成されている。また、第３ガイド部４１ｃの凸状の曲面の部分に第４ガイド部４１ｄの凹状の曲面の部分が対面して、この凸状と凹状の曲率がほぼ等しくされていることから、両者の間に円弧状の所定幅の溝が形成されている。さらに、第１ガイド部４１ａの凸状の部分の外側に弧状ガイド部４６ａと弧状ガイド部４６ｂとが対面して形成されており、この凸状の部分と弧状ガイド部４６ａ，４６ｂの曲率がほぼ等しいことから、両者の間に円弧状の所定幅の溝が形成されている。弧状ガイド部４６ａは、両端部が弧状とされ中央部が直線状とされており、一端の弧状が第１ガイド部４１ａに対面しており、他端の弧状が第４ガイド部４１ｄに対面している。また、第３ガイド部４１ｃの左側から第４ガイド部４１ｄの凸状の曲面の部分の外側にかけて、弧状ガイド部４６ａが対面して形成されており、この凸状の部分と弧状ガイド部４６ａの曲率がほぼ等しいことから、両者の間に円弧状の所定幅の溝が形成されている。なお、弧状ガイド部４６ｂは第４側壁４ｅと第１側壁４ｂおよび第３側壁４ｄとの角部の内側に形成されている。さらに、弧状ガイド部４６ａの一端の弧状の外側に弧状ガイド部４６ｄが形成されている。
さらに、第２ガイド部４１ｂおよび第３ガイド部４１ｃと、第５ガイド部４７および第６ガイド部４８との間にも所定幅の溝が形成されている。
【００２２】
上記した所定幅の溝内に光端末装置１に導入された光ファイバー７１の余長が巻回されて収納されるが、光ファイバー７１は弾性を有していることから巻回された際に、巻き径が拡がる方向に付勢される。このように、巻き径が拡がる方向に光ファイバー７１が付勢されると、第１ガイド部４１ａないし第６ガイド部４８および弧状ガイド部４６ａ〜４６ｄを乗り越えて光ファイバーが乱雑になるおそれがあり、メンテナンス等の作業性が劣化したり、見栄えが悪くなり、最悪の場合伝送特性の劣化を招く恐れがある。これを防止するために、それぞれのガイド部の上縁には、先端に丸みを帯びたひさし状に張り出すように形成された複数の押さえ爪４２ｂが所定間隔毎に形成されている。上記ガイド部に形成される押さえ爪４２ｂは、第１側壁４ｂないし第４側壁４ｅの所定位置にも形成されている。押さえ爪４２ｂの長さは、形成される位置の溝の幅に応じた長さに形成されている。
このように、第１ガイド部４１ａ〜第６ガイド部４８と弧状ガイド部４６ａ〜４６ｄ、および、第１側壁４ｂないし第４側壁４ｅに押さえ爪４２ｂを設けるようにしたため、光端末装置１に導入された光ファイバー７１の余長を押さえ爪４２ｂと底板部４ａとの間に収納することができるようになり、光ファイバー７１の飛び出しを極力防止することができる。
【００２３】
上記した図４〜図６（ａ）に示すように余長収納トレイ４に第１ガイド部４１ａ〜第６ガイド部４８と弧状ガイド部４６ａ〜４６ｄが形成されることにより、２つの互いに交わらない円筒状の巻部と、その２つの巻部共に交わる円筒状の巻部とが構成される。これにより、２つの巻部に分けて光ファイバー７１を巻回して収納することができる。例えば、光ファイバー７１の接続部の前後で分けて収納したり、映像系と通信系といった信号系統が２つある場合は、信号系統別に分けて収納することができるようになる。また、光ファイバー７１の余長部が長くない場合は分けることなく巻回して収納するようにしても良い。このように、光ファイバー７１の余長部の長さに応じた態様で巻回して収納することができる。また、８の字状に光ファイバー７１を巻回することにより、巻方向の変更を行うことができる。
【００２４】
ところで、光ファイバー同士の接続部であるスリーブやメカニカルスプライスとされる筒状接続部が、光ファイバー７１の余長部と共に余長収納トレイ４に収納される場合がある。スリーブは、図２，３にスリーブ７２として示されており、光ファイバー同士の接続が光ファイバーの端面同士を融着して行われる場合に、融着部を保護するように融着部に装着される。また、メカニカルスプライスは、光ファイバーの端面同士を位置合わせして固定することにより光ファイバーを接続している。このようなスリーブやメカニカルスプライスとされる筒状接続部は、光ファイバーの余長と共に余長収納トレイ４に収納されるが、この筒状接続部は、光ファイバー７１より径が太く細長い筒状の形状とされて光ファイバー７１に比較して重いと共に曲げることができないため、動かないように保持しておかないと動いた際に光ファイバー７１が屈曲されて傷んだり、余長収納トレイ４から飛び出してしますようになる。このため、余長収納トレイ４内で動かないように保持される。本発明にかかる光端末装置１においては、スリーブやメカニカルスプライスとされる筒状接続部を保持するスリーブ保持部４３とスリーブ保持部４４とが設けられている。以下の説明においては、筒状接続部がスリーブ７２であった場合の説明を行う。
【００２５】
スリーブ保持部４３は、第３側壁４ｄのほぼ中央の上縁に連通して設けられており、開閉自在とされている。また、スリーブ保持部４４は図４〜図６（ａ）に示すように、弧状ガイド部４６ａを挟んで対面して２つ形成されている。
スリーブ保持部４３の周辺の構成を拡大して図６（ｂ）に示す。図６（ｂ）に示すように、スリーブ保持部４３は平板状の本体部４３ａを備え、本体部４３ａの一縁に、本体部４３ａを第３側壁４ｄのほぼ中央の上縁に接続するヒンジ部４３ｆが形成されている。ヒンジ部４３ｆは厚さが薄く形成され、ヒンジ部４３ｆにより第３側壁４ｄの上縁に対して本体部４３ａが屈曲自在に支持される。本体部４３ａの下面のほぼ中央には細長い矩形板状の平板部４３ｄが第３側壁４ｄとほぼ平行になるよう立設して形成され、平板部４３ｄに対面して保持片４３ｅが本体部４３ａの先端から立設して形成されている。保持片４３ｅの両側は、平板部４３ｄとの間隔が次第に狭まるように斜めに形成されており、平板部４３ｄと保持片４３ｅとの間にスリーブ７２が挿入された際に、保持片４３ｅの弾性によりスリーブ７２が弾性的に保持されて固定されるようになる。保持片４３ｅの下縁の中央から延伸してＶ字部４３ｂが形成され、Ｖ字部４３ｂの先端には係合片４３ｃがほぼ直角に突出して形成されている。図４〜図６（ａ）（ｂ）に示すスリーブ保持部４３は、屈曲されて開けた状態とされており、後述するが、スリーブ保持部４３を閉じるように屈曲すると、第５ガイド部４７の第３側壁４ｄに対面する側に形成された開口部４７ａの上縁の係止切欠４７ｃに、スリーブ保持部４３の係合片４３ｃが係合するようになる。
また、スリーブ保持部４４は、弧状ガイド部４６ａのほぼ半分の高さ位置から断面Ｌ字状に突出して形成されている。スリーブ保持部４４には、弧状ガイド部４６ａに対面して保持片が形成されており、保持片の両側は、弧状ガイド部４６ａとの間隔が次第に狭まるように斜めに形成されている。弧状ガイド部４６ａと保持片との間にスリーブ７２が挿入された際に、保持部の弾性によりスリーブ７２が弾性的に保持されて固定されるようになる。
【００２６】
次に、図１３に本体部２と蓋部３とからなる筐体に収納された余長収納トレイ４において、スリーブ保持部４３を開けて光端末装置１内に導入された光ファイバー７１に設けられているスリーブ７２を保持させる準備作業の状態を示し、当該状態を示す上面図を図１４に示す。光ファイバー導入孔２ｆおよび導入孔４５ａから導入された光ファイバー７１の余長部は、第１ガイド部４１ａおよび第４ガイド部４１ｄの外周に楕円形状の形状で巻回されている。この光ファイバー７１の余長部にはスリーブ７２が設けられており、スリーブ７２がスリーブ保持部４３に位置するように余長部をガイド部に巻回して収納する。この余長部の収納作業においては、スリーブ７２は固定されておらず移動することができ、スリーブ７２は余長部の収納作業の邪魔にならないようになる。余長部の収納作業が終了したら、本体部４３ａの平板部４３ｄと保持片４３ｅとの間にスリーブ７２を挿入して図１３，１４に示す状態としてスリーブ保持部４３を閉じると、スリーブ７２がスリーブ保持部４３から抜け出ないように固定される。スリーブ保持部４３を閉じた際には、係合片４３ｃが第５ガイド部４７の係止切欠４７ｃに係合するようになる。この場合、Ｖ字部４３ｂの幅と開口部４７ａにおける段部４７ｂの横幅がほぼ一致しており、Ｖ字部４３ｂの弾性力により、係止切欠４７ｃに係合した係合片４３ｃは容易には係合が外れないようになる。このようにして、スリーブ保持部４３を閉じた状態が前記した図２，３に示されている。
なお、以上の説明では、光ファイバーの端面同士を融着した融着部を保護するスリーブ７２を保持する場合について説明したが、光ファイバーの端面を位置合わせして固定するメカニカルスプライスを保持する場合も、スリーブ７２を保持する場合と同様に行うことができる。また、保持片４３ｅの下縁の中央から延伸して形成されているＶ字部４３ｂは、断面形状がＶ字状に折り返されて弾性を有しているが、断面形状をＵ字状やＪ字状に折り返して形成してもよく、Ｖ字部４３ｂを弾性を有する折り返し部とすることができる。
【００２７】
ここで、余長収納トレイを備える光端末装置において、既に収納されている光ファイバーの余長部を何らかの理由で取り出したい場合がある。しかし、従来の光端末装置１００においては、光ファイバーの余長部を取り出すことを考慮された構造とされていないため、容易に取り出すことができなかった。本発明にかかる余長収納トレイ４では、光ファイバーの余長部を容易に取り出せる構造とされている。
本発明にかかる余長収納トレイ４においては、４本の弾性押さえ爪４９が設けられている。この弾性押さえ爪４９は、押さえ爪４２ｂよりかなり長い長さとされ、通常状態では先端がガイド部の壁部からガイド間に形成された溝内に突出しており、光ファイバー７１の飛び出しを防止している。そして、弾性押さえ爪４９は、大きく撓ませることができ、撓ませた際には先端がガイド部間の溝内に突出しないようになる。これにより、弾性押さえ爪４９を撓ませた際には、弾性押さえ爪４９に邪魔されることなく、ガイド部間の溝から光ファイバー７１の余長部を容易に取り出せることができるようになる。以下、この構造について図７ないし図１２を参照しながら説明する。
【００２８】
図７は余長収納トレイ４の構成を示す前面左上側を視点とする斜視図であり、図８は余長収納トレイ４の構成を示す上面図であり、図９は図８のＡ−Ａ線で切断した余長収納トレイ４の構成を示すＡ−Ａ断面図であり、図１０は余長収納トレイ４の構成を示す後面右上側を視点とする斜視図であり、図１１は弾性押さえ爪４９を撓ませた状態の余長収納トレイ４の構成を示す上面図であり、図１２は図１１のＢ−Ｂ線で切断した余長収納トレイ４の構成を示すＢ−Ｂ断面図である。
図８ないし図１２に示す余長収納トレイ４の構成は、弾性押さえ爪４９を除いて既に説明したので、弾性押さえ爪４９に関しての説明を行うものとする。
図８ないし図１２に示す様に、弾性押さえ爪４９は放射状に複数本が形成されており、第１ガイド部４１ａを形成する壁部の前側のほぼ中央の上縁から３本の細長い弾性押さえ爪４９が互いに約９０°毎の間隔で延伸するよう形成されている。すなわち、３本の内の中央に位置する弾性押さえ爪４９は、第１側壁４ｂおよび第３側壁４ｄにほぼ平行に第４側壁４ｅに向かって形成され、残る２本の弾性押さえ爪４９は第４側壁４ｅにほぼ平行に第１側壁４ｂあるいは第３側壁４ｄに向かって一直線状に並ぶように形成されている。４本目の弾性押さえ爪４９は、第２ガイド部４１ｂを形成する壁部の後側のほぼ中央の上縁から第１側壁４ｂおよび第３側壁４ｄにほぼ平行に第２側壁４ｃに向かって延伸して形成されている。
【００２９】
それぞれの弾性押さえ爪４９は、基部４９ａと長尺部４９ｂと爪片４９ｃとから構成され、基部４９ａはガイド部の上縁から底板部４ａにほぼ平行になるよう直角に延伸され、基部４９ａから延伸されている細長い長尺部４９ｂは底板部４ａに向かうようやや斜めに形成されており、長尺部４９ｂの先端の爪片４９ｃは上方へ向かって斜めに形成され、先端に行くほど幅が狭くされて所定高さの壁が周囲に形成されている。このように、長尺部４９ｂと爪片４９ｃとは、横方向から見ると「くの字」状に形成されている。長尺部４９ｂの厚さは、基部４９ａの厚さより薄くされて容易に撓むようにされる。弾性押さえ爪４９に下方へ向かう力を加えると、図１１および図１２に示すように爪片４９ｃが底板部４ａに接触するように撓むようになって、爪片４９ｃが第１ガイド部４１ａの壁部から突出しないようになる。これにより、上記したようにガイド間の溝内に巻回された光ファイバー７１の余長部を指で把持して容易に取り出せるようになる。取り出した後に指を離すと、弾性押さえ爪４９は自己の弾性により元の位置に戻るようになる。撓ませた弾性押さえ爪４９を、図面においては、弾性押さえ爪４９（Ｆ）と表すものとする。
【００３０】
次に、図１５に本体部２と蓋部３とからなる筐体に収納された余長収納トレイ４において、弾性押さえ爪４９（Ｆ）は撓められている状態とされており、当該状態を示す上面図を図１６に示す。これらの図に示すように、光ファイバー導入孔２ｆから導入孔４５ａを介して導入された光ファイバー７１の余長部は、第１ガイド部４１ａおよび第４ガイド部４１ｄの外周に楕円形状の形状で巻回されている。通常状態の弾性押さえ爪４９の爪片４９ｃの先端は図１４に示すように光ファイバー７１を超えて光ファイバー７１が飛び出さないようになっているが、図１６に示すように弾性押さえ爪４９（Ｆ）を撓めると、爪片４９ｃの先端は光ファイバー７１の内側に位置するようになる。このため、弾性押さえ爪４９に邪魔されることなく光ファイバー７１の余長部を容易に指で把持して取り出せる。この場合、撓める力を緩めて爪片４９ｃを次第に上昇させていくと爪片４９ｃの先端がガイド部の壁部から徐々に突出していくようになって、爪片４９ｃの先端が光ファイバー７１の下側に当接するようになる。これは、長尺部４９ｂと爪片４９ｃとが「くの字」状に形成されていることから、弾性押さえ爪４９を撓めた際に、爪片４９ｃの下面が底板部４ａにほぼ平行になって接触し、爪片４９ｃの先端が光ファイバー７１の下側に位置するようになるからである。すると、爪片４９ｃの上昇に伴い爪片４９ｃの上に当接した光ファイバー７１が、爪片４９ｃと共に溝内を上昇していくようになる。このように、光ファイバー７１の溝内の収納位置によっては弾性押さえ爪４９を撓ませてから、徐々に撓みを緩めていくことで、光ファイバー７１をガイド部間の溝内から取り出せることができるようになる。
なお、弾性押さえ爪４９の本数は、４本に限ることはなく４本以下あるいは４本以上を放射状に形成するようにしても良い。
【産業上の利用可能性】
【００３１】
本発明にかかる光端末装置には、光ファイバーを伝送されてきた光信号を光−電気信号変換して復調し、復調された電気信号をセットトップボックスや同軸の伝送線路に供給する装置に限ることはなく、光ファイバーが導入される電子機器の全般が含まれる。
上記説明した本発明にかかる光端末装置においては、複数本の光ファイバーを左右に設けた複数の光ファイバー導入孔から光端末装置内に導入するようにしても良い。この場合、光端末装置に導入された光ファイバーの余長部を余長収納トレイにより収納して、その光ファイバーを他の光ファイバー導入孔から導出するようにしても良い。すなわち、光端末装置を光ファイバーの余長部を収納する余長収納手段としても利用することができる。
また、上記説明した本発明の光端末装置にかかる余長収納トレイにおけるスリーブ保持部の保持片や弾性押さえ爪の弾性は、余長収納トレイを形成している合成樹脂が有する性質を利用している。このため、ある程度柔軟な樹脂材料が余長収納トレイの作成に用いられる。例えば、ポリプロピレンなどの合成樹脂とされる。この場合、弾性を有させたい部位の厚さを薄く形成し、剛性を保持したい部位の厚さを厚く形成するのが好適となる。
さらに、上記説明した本発明の光端末装置にかかる本体部の前面板には同軸端子、光ファイバーの導入孔、電源ユニットの電源ケーブルが引き出されるケーブル挿入孔が設けられており、本体部の前面板に光ファイバーなどのラインやケーブルの導入および導出が集中するようにされている。しかし、これに限ることはなく本体部の後面板や側面板に、同軸端子、光ファイバーの導入孔、電源ケーブルが引き出されるケーブル挿入孔を設けるようにしてもよい。
【符号の説明】
【００３２】
１  光端末装置、２  本体部、２ａ  前面板、２ｂ  第１側面板、２ｃ  係合突部、２ｄ  第２側面板、２ｅ  円筒状部、２ｆ  光ファイバー導入孔、２ｇ  取付片、３  蓋部、３ａ  上面板、３ｂ  第１側面板、３ｃ  第２側面板、３ｄ  延伸部、３ｅ  係合片、３ｆ  保持片、４  余長収納トレイ、４ａ  底板部、４ｂ  第１側壁、４ｃ  第２側壁、４ｄ  第３側壁、４ｅ  第４側壁、４１ａ  第１ガイド部、４１ｂ  第２ガイド部、４１ｃ  第３ガイド部、４１ｄ  第４ガイド部、４２ｂ  押さえ爪、４３  スリーブ保持部、４３ａ  本体部、４３ｂ  Ｖ字部、４３ｃ  係合片、４３ｄ  平板部、４３ｅ  保持片、４３ｆ  ヒンジ部、４４  スリーブ保持部、４５  挟着部、４５ａ  導入孔、４６ａ  弧状ガイド部、４６ｂ  弧状ガイド部、４６ｄ  弧状ガイド部、４７  第５ガイド部、４７ａ  開口部、４７ｂ  段部、４７ｃ  係止切欠、４８  第６ガイド部、４９  弾性押さえ爪、４９ａ  基部、４９ｂ  長尺部、４９ｃ  爪片、５１  同軸端子、６１  電源ケーブル、７１  光ファイバー、７２  スリーブ、１００  光端末装置、１０２  本体部、１０２ａ  前面板、１０２ｂ  側面板、１０２ｃ  係合突部、１０２ｆ  光ファイバー導入孔、１０３  蓋部、１０３ａ  上面板、１０３ｂ  第１側面板、１０３ｃ  第２側面板、１０３ｄ  延伸部、１０３ｅ  係合片、１０３ｆ  保持片、１０４  余長収納トレイ、１０４ａ  底面部、１０４ｂ  第１側壁、１０４ｃ  第２側壁、１０４ｄ  第３側壁、１０４ｅ  第４側壁、１４１ａ  第１ガイド部、１４１ｂ  第２ガイド部、１４１ｃ  第３ガイド部、１４１ｄ  第４ガイド部、１４２ａ  上段押さえ爪、１４２ｂ  下段押さえ爪、１４３，１４４  スリーブ保持部、１４５  挟着部、１４５ａ  挟着片、１４５ｂ  係止片、１４５ｃ  導入溝、１４５ｄ  ヒンジ部、１４５ｅ  挟着溝、１４５ｆ  係止孔、１４６ａ〜１４６ｄ  外側ガイド部、１４６ｅ  外側ガイド部、１５１  同軸端子、１６１  電源ケーブル
【図１】
2017211528.tif 000003
【図２】
2017211528.tif 000004
【図３】
2017211528.tif 000005
【図４】
2017211528.tif 000006
【図５】
2017211528.tif 000007
【図６】
2017211528.tif 000008
【図７】
2017211528.tif 000009
【図８】
2017211528.tif 000010
【図９】
2017211528.tif 000011
【図１０】
2017211528.tif 000012
【図１１】
2017211528.tif 000013
【図１２】
2017211528.tif 000014
【図１３】
2017211528.tif 000015
【図１４】
2017211528.tif 000016
【図１５】
2017211528.tif 000017
【図１６】
2017211528.tif 000018
【図１７】
2017211528.tif 000019
【図１８】
2017211528.tif 000020
【図１９】
2017211528.tif 000021